(57)【要約】【課題】振動で外れにくい蛍光ランプの支持構造を提供する。【解決手段】コネクタ１０５、１０７は蛍光ランプ１０３の管軸方向に対して直角なＸ方向から端子１０５ａ、１０７ａに電極１０３ｂを差し込むことが可能なようにランプ・ハウス１０１に取り付けられている。ランプ・サポート１０９は、蛍光ランプの管軸方向に対して直角でＸ方向とは異なるＹ方向から把持部１０９ａに発光部１０３ａを嵌め込むことが可能なようにランプ・ハウスに取り付けられている。ランプ・ハウスに振動が加えられても、コネクタおよびランプ・サポートが蛍光ランプの半径方向への移動を抑制する。【選択図】図２
2011065764.tif 000002
【特許請求の範囲】
【請求項１】
フラット・パネル・ディスプレイに使用するバックライトにおける蛍光ランプの支持構造であって、
第１の電極と第２の電極と発光部を備える直線型の蛍光ランプと、
前記蛍光ランプの管軸方向に対して直角な第１の方向から端子に前記第１の電極を差し込むことが可能なようにランプ・ハウスに取り付けられた第１のコネクタと、
前記蛍光ランプの管軸方向に対して直角で前記第１の方向とは異なる第２の方向から把持部に前記発光部を嵌め込むことが可能なように前記ランプ・ハウスに取り付けられたランプ・サポートと
を有する支持構造。
【請求項２】
前記蛍光ランプの第２の電極を前記第１の方向から端子に差し込むことが可能なように前記ランプ・ハウスに取り付けられている第２のコネクタを有する請求項１に記載の支持構造。
【請求項３】
前記第２の方向は、前記ランプ・ハウスの底面に対して垂直な方向である請求項１または請求項２に記載の支持構造。
【請求項４】
前記第１の方向と前記第２の方向の角度が９０度である請求項１から請求項３のいずれかに記載の支持構造。
【請求項５】
前記管軸方向から端子に前記第２の電極を差し込むことが可能なように前記ランプ・ハウスに取り付けられている第３のコネクタを有する請求項１から請求項４のいずれかに記載の支持構造。
【請求項６】
フラット・パネル・ディスプレイに使用するバックライトにおける蛍光ランプの支持構造であって、
第１の電極と第２の電極を備える折り返し型の蛍光ランプと、
前記蛍光ランプの発光部の管軸方向に対して直角な第１の方向から端子に前記第１の電極を差し込むことが可能なようにランプ・ハウスに取り付けられた第１のコネクタと、
前記第１の方向から端子に前記第２の電極を差し込むことが可能なように前記ランプ・ハウスに取り付けられた第２のコネクタと、
前記蛍光ランプの発光部の管軸方向に対して直角で前記第１の方向とは異なる第２の方向から把持部に前記蛍光ランプの発光部を嵌め込むことが可能なように前記ランプ・ハウスに取り付けられた第１のランプ・サポートと
を有する支持構造。
【請求項７】
前記折り返し部に、前記折り返し部の管軸方向に対して直角で前記第１の方向および前記第２の方向とは異なる第３の方向から把持部に前記折り返し部を嵌め込むことが可能なように前記ランプ・ハウスに取り付けられた第２のランプ・サポートを有する請求項６に記載の支持構造。
【請求項８】
フラット・パネル・ディスプレイに使用するバックライトにおける蛍光ランプの支持構造であって、
電極と発光部を備える蛍光ランプと、
前記蛍光ランプの管軸方向に対して直角な第１の方向から把持部に前記発光部を嵌め込むことが可能なように前記ランプ・ハウスに取り付けられた第１のランプ・サポートと、
前記蛍光ランプの管軸方向に対して直角で前記第１の方向とは異なる第２の方向から把持部に前記発光部を差し込むことが可能なように前記ランプ・ハウスに取り付けられた第２のランプ・サポートと
を有する支持構造。
【請求項９】
蛍光ランプと、
前記蛍光ランプを収納するランプ・ハウスと、
拡散板と、
請求項１から請求項８のいずれかに記載された蛍光ランプの支持構造と
を有するバックライト。
【請求項１０】
アレイ・セル基板と
請求項９に記載されたバックライトを備える液晶表示装置。
【発明の詳細な説明】
【技術分野】
【０００１】
本発明は、フラット・パネル・ディスプレイに使用するバックライトの蛍光ランプを支持する構造に関する。
【背景技術】
【０００２】
非発光型フラット・パネル・ディスプレイの典型である液晶表示装置は、画面を表示するための光源としてバックライトを使用する。バックライトはアレイ・セル基板に対する光源の位置によりサイドエッジ型と直下型に分類することができる。直下型バックライトは、内部に反射シートが施されたランプ・ハウスと、そこに収納された蛍光ランプやＬＥＤなどの光源と光学シートなどで構成されており、アレイ・セル基板の表示面とは逆の面に取り付けられ液晶表示装置の一部を構成する。蛍光ランプは、液晶表示装置を移動するときや据え付け状態で振動が生じたときでも安定してランプ・ハウス内の所定の位置に保持し、かつ電極とリード線が外れないようにしておく必要がある。
【０００３】
蛍光ランプには、発光部の両端に電極を形成した棒状型または直線型といわれるものと、発光部の中央がＵ字を形成するように折り返されたＵ字形または折り返し型といわれるものがある。また、蛍光ランプの電極にインバータから通電するためのリード線の接続方式には、差し込みおよび取り外しを自由に行えるコネクタ方式と、リード線を直接電極に半田接続するリード線方式がある。コネクタ方式では、コネクタは蛍光ランプに対して通電するとともに電極を通じて蛍光ランプを支持する役割も担っている。
【０００４】
また、２０インチ程度以上の液晶表示装置に使用するバックライトでは、蛍光ランプの口径に対する発光部の長さが長くなって発光部が撓むので、発光部をランプ・ハウスに固定するためのランプ・サポートを設けるのが一般的である。図５に従来のバックライトにおける蛍光ランプの支持構造を示す。図５（Ａ）は蛍光ランプを収納したランプ・ハウスの断面図で、図５（Ｂ）、（Ｃ）、（Ｄ）はそれぞれ図５（Ｂ）のＢ−Ｂ矢視、Ｃ−Ｃ矢視、およびＤ−Ｄ矢視の断面図である。図５には、ランプ・ハウス１１の中で直線型の蛍光ランプ１３の発光部１３ａの両端の電極１３ｂ、１３ｃがコネクタ１５、１６の端子１５ａ、１６ａにそれぞれ接続された様子を示している。図５（Ａ）において、ランプ・ハウス１１の上縁には図示しない拡散板および光学シートが設けられる。コネクタ１５、１６の端子１５ａ、１６ａは、図５（Ｂ）の上側（拡散板側）に電極１３ｂ、１３ｃを挿入する開口部が形成されたバネ構造になっている。蛍光ランプ１３は、両端の電極１３ｂ、１３ｃが端子１５ａ、１６ａに挿入されて電気的な接続および支持がされる。また、蛍光ランプ１３の発光部１３ａは、ランプ・サポート１７に嵌め込まれてランプ・サポートに固定されている。
【０００５】
特許文献１は、外部の衝撃に対してランプの破損を防止し、ランプ組立の作業性を向上させることができるバックライト組立体用支持部材を開示する。バックライト組立体では互いに平行に配置され光を発生する複数のランプが複数の支持部材で支持されている。支持部材は収納容器の底部に固定され、ランプの挿入のための開口部を備えている。開口部は底部の面からの垂線を基準にして第１角度に傾いて形成されている。また、異なるランプを支持する支持部材の開口部は異なる角度に傾いて形成されている。いずれか１つのランプに着目したときには、支持部材の開口部はすべて同じ方向を向いている。
【先行技術文献】
【特許文献】
【０００６】
【特許文献１】特開２００６−３２３５８号公報
【発明の概要】
【発明が解決しようとする課題】
【０００７】
蛍光ランプ１３は発光すると管軸方向に膨張するため、端子１５ａ、１６ａは電極１３ｂ、１３ｃを強いバネ構造で締め付けて保持することはできない。そして、ランプ・ハウス１１に強い振動や衝撃を加えると、コネクタ１５、１６またはランプ・サポート１７から蛍光ランプ１３が離脱してしまうことがある。ランプ・ハウス１１には、通常、蛍光ランプ１３の電極１３ｂ、１３ｃの近辺における輝度ムラの影響が拡散板側に伝わらないように、サイド・フレームという遮光板を設ける。図５（Ｅ）にサイド・フレーム２１の構造を示す。図５（Ｅ）は、ランプ・ハウス１１のコネクタ１５付近の断面図である。
【０００８】
サイド・フレーム２１は、蛍光ランプ１３が放射する光の電極１３ｂ、１３ｃ近辺に発生する輝度ムラの影響が拡散板に表れないようにするために設ける。サイド・フレーム２１は、ランプ・ハウス１１の対向する２つの側壁に取り付けられ、コネクタ１５の近辺の発光部が通過できる小さな切り欠き２１ｂ以外からは、コネクタ１５が見えないような構造になっている。サイド・フレーム２１にはまた、コネクタ１５が移動したり、電極１３ｂが端子１５ａから外れたりしないように端子１５ａの開口部の近辺を上から押さえつける固定部２１ａも形成されている。コネクタ１６の近辺にも同様のサイド・フレームが設けられる。したがって、固定部２１ａが形成されたサイド・フレーム２１を設ける限り振動が発生してもコネクタ１５、１６から蛍光ランプ１３が外れることはない。
【０００９】
近年、バックライトのコスト低減を図るためにサイド・フレームを除去することが検討されている。バックライトからサイド・フレーム２１を取り除いたときに、端子１５ａ、１６ａとランプ・サポート１７の開口部は、それぞれ蛍光ランプ１３を上から下向きのＸ方向に移動させて電極１３ｂ、１３ｃと発光部１３ｂを挿入させる方向に配置されている。したがってすべての開口部が同一方向に形成されているので、バックライトに振動が加えられると蛍光ランプ１３はコネクタ１５、１６およびランプ・サポート１５から外れる可能性がある。サイド・フレーム２１には、遮光機能、コネクタの固定機能、および拡散板やＬＣＤの台座機能などがあるが、サイド・フレーム２１を除去するためにはコネクタからの蛍光ランプの脱落を防止するために固定機能に代わる何らかの方法を考慮する必要がある。
【００１０】
そこで、本発明の目的は、バックライトにおいて振動で外れにくい蛍光ランプの支持構造を提供することにある。さらに、本発明の目的は、簡易な構造により振動で外れにくい蛍光ランプの支持構造を提供することにある。さらに本発明の目的は、着脱が容易な構造により振動で外れにくい蛍光ランプの支持構造を提供することにある。さらに本発明の目的は、サイド・フレームを除去しても振動で外れにくい蛍光ランプの支持構造を提供することにある。さらに本発明の目的は、そのような支持構造を備えたバックライトおよび液晶表示装置を提供することにある。
【課題を解決するための手段】
【００１１】
本発明は、非発光型のフラット・パネル・ディスプレイに使用するバックライトにおける蛍光ランプの支持構造を提供する。フラット・パネル・ディスプレイは、典型的には液晶ディスプレイとすることができる。直線型の蛍光ランプは両端に第１の電極と第２の電極を備える。第１のコネクタは、蛍光ランプの管軸に対して直角な第１の方向から端子に第１の電極を差し込むことが可能なようにランプ・ハウスに取り付けられている。ランプ・サポートは把持部が、蛍光ランプの管軸に対して直角で第１の方向とは異なる第２の方向から蛍光ランプの発光部を嵌め込むことが可能なようにランプ・ハウスに取り付けられている。
【００１２】
蛍光ランプはある程度の可撓性があるため、第１の方向と第２の方向からそれぞれ第１のコネクタおよびランプ・サポートに取り付けることができる。このような構造を採用することで、ランプ・ハウスに振動が加えられたときに、第１のコネクタとランプ・サポートにより蛍光ランプは管軸に対して垂直な方向または半径方向への移動が抑制され、第１のコネクタの端子から外れたりランプ・サポートから外れたりすることがなくなる。この支持構造では、コネクタの端子の開口部を第１の方向から第１の電極の挿入が可能なようにランプ・ハウスに配置するだけでよいので簡単な構造で実現できしかも蛍光ランプの取り付けも容易である。
【００１３】
さらに、サイド・フレームにより端子の開口部を押さえつける必要がなくなるので、サイド・フレームをコネクタからの蛍光ランプの脱落を防止する目的で設ける必要がなくなる。第２のコネクタを、第２の電極を第１の方向から端子に差し込むことが可能なようにランプ・ハウスに取り付けることができる。このようにすることで、第２のコネクタとランプ・サポートにより蛍光ランプは管軸に対して垂直な方向または半径方向への移動が抑制され、第２のコネクタの端子から外れたりランプ・サポートから外れたりすることがなくなる。なお、第２のコネクタは、蛍光ランプの管軸に対して直角で第１の方向および第２の方向とは異なる方向から差し込むことが可能なようにランプ・ハウスに取り付けるようにしてもよい。
【００１４】
第２の方向は、ランプ・ハウスの底面に対して垂直な方向とすることができる。こうすることで、ランプ・サポートの開口部をランプ・ハウスから光を放射する方向に向けて、把持部における蛍光ランプの輝度の低下を防ぐことができる。第１のコネクタを第１の方向から端子に第１の電極を差し込めるように配置し、ランプ・サポートを第２の方向から把持部に発光部を嵌め込めるように配置した場合に、第３のコネクタを管軸の方向から端子に第２の電極を差し込むことが可能なようにランプ・ハウスに取り付けるようにしてもよい。蛍光ランプは、熱膨張するために、第１のコネクタは蛍光ランプが管軸方向に移動できるように第１の電極を比較的緩く挟む必要がある。この場合でも第３のコネクタは、蛍光ランプの管軸方向の移動を抑制することができるので、蛍光ランプは振動により第１のコネクタ、ランプ・サポート、および第３のコネクタから外れにくくなる。第１の方向と第２の方向の角度を９０度にすれば構造を簡単にすることができる。
【００１５】
本発明の他の態様では、第１の電極と第２の電極を備える折り返し型の蛍光ランプの支持構造を提供する。第１のコネクタは、蛍光ランプの管軸に対して直角な第１の方向から端子に第１の電極を差し込むことが可能なようにランプ・ハウスに取り付けられる。また、第２のコネクタが第１の方向から端子に第２の電極を差し込むことが可能なようにランプ・ハウスに取り付けられる。ランプ・サポートは、蛍光ランプの管軸に対して直角で第１の方向とは異なる第２の方向から把持部に蛍光ランプの発光部を嵌め込むことが可能なようにランプ・ハウスに取り付けられる。
【００１６】
このような支持構造ではランプ・ハウスに振動が加えられたときに、第１のコネクタ、第２のコネクタ、およびランプ・サポートにより、蛍光ランプが管軸に垂直な方向に移動するのを抑制することができる。ランプ・サポートを折り返し部に設ける場合は、管軸に対して直角で第１の方向および第２の方向とは異なる第３の方向から把持部に折り返し部を嵌め込むことが可能なようにランプ・ハウスに取り付けることができる。このような構造により、一層振動に対する蛍光ランプの移動に対する抑制力が増大する。
【００１７】
本発明の他の態様では、第１のランプ・サポートが蛍光ランプの管軸に対して直角な第１の方向から把持部に発光部を嵌め込むことが可能なようにランプ・ハウスに取り付けられる。また、第２のランプ・サポートが、蛍光ランプの管軸に対して直角で第１の方向とは異なる第２の方向から把持部に発光部を差し込むことが可能なようにランプ・ハウスに取り付けられる。このような構造により、コネクタに依存しないで、ランプ・サポートだけで蛍光ランプが離脱しにくい支持構造を形成することができる。
【発明の効果】
【００１８】
本発明により、バックライトにおいて振動で外れにくい蛍光ランプの支持構造を提供することができた。さらに、本発明により、簡易な構造により振動で外れにくい蛍光ランプの支持構造を提供することができた。さらに本発明により、着脱が容易な構造により振動で外れにくい蛍光ランプの支持構造を提供することができた。さらに本発明により、サイド・フレームを除去しても振動で外れにくい蛍光ランプの支持構造を提供することができた。さらに本発明により、そのような支持構造を備えたバックライトおよび液晶表示装置を提供することができた。
【図面の簡単な説明】
【００１９】
【図１】本実施の形態にかかる直下型バックライト方式の液晶表示装置の概略の側面図である。
【図２】本実施の形態にかかる蛍光ランプの支持構造を示す図である。
【図３】本実施の形態にかかる蛍光ランプの支持構造の他の例を示す図である。
【図４】本実施の形態にかかる蛍光ランプの支持構造の他の例を示す図である。
【図５】従来の蛍光ランプの支持構造を示す図である。
【発明を実施するための形態】
【００２０】
本明細書の全体を通じて、同一の要素には同一の参照番号を付与して重複する説明を省略することにする。図１は、本実施の形態にかかる直下型バックライト方式の液晶表示装置の概略の側面図である。液晶表示装置６１は、アレイ・セル基板５１とバックライト５９で構成されている。アレイ・セル基板５１は、平行に対向して配置されたアレイ基板とカラー・フィルター（ＣＦ）基板の間に形成されたセル・ギャップの内部に液晶材料が封じ込められている。アレイ・セル基板５１は、アクティブ・マトリクス方式に対応しており、走査線駆動用ＩＣチップおよびデータ線駆動用ＩＣチップ（いずれも図示せず。）を含んでいる。バックライト５９は、内面に反射シートを備えるランプ・ハウス１０１に蛍光ランプを収納し、光の放射面には拡散板５５と光学シート５３が設けられている。
【００２１】
図２は、本実施の形態にかかる蛍光ランプの支持構造を示す図である。図２（Ａ）は、拡散板５５と光学シート５３を取り除いた状態の平面図で、図２（Ｂ）はＡ−Ａ矢視の断面図で、図２（Ｃ）、（Ｄ）、（Ｅ）は、それぞれ図２（Ｂ）のＢ−Ｂ、Ｃ−Ｃ、Ｄ−Ｄ矢視の断面図である。ランプ・ハウス１０１には、６本の直線型の蛍光ランプ１０３が収納されている。蛍光ランプ１０３は、発光部１０３ａと両端に形成された電極１０３ｂ、１０３ｃで構成されている。蛍光ランプ１０３はすべて、発光部１０３ａがランプ・ハウス１０１の底面に平行になるように配置されている。
【００２２】
蛍光ランプ１０３の一方の電極１０３ｂはそれぞれ６個のコネクタ１０５に接続され、他方の電極１０３ｃはそれぞれ６個のコネクタ１０７に接続されている。コネクタ１０５、１０７は、それぞれバネ構造で差し込み式の端子１０５ａ、１０７ａを備えている。端子１０５ａ、１０７ａは、ランプ・ハウス１０１の底面の裏側に取り付けられたインバータ用の回路基板（図示せず。）に接続される。コネクタ１０５、１０７は、端子１０５ａ、１０７ａに対してそれぞれ図２（Ａ）のＸ方向から電極１０３ｂ、１０３ｃの挿入が可能なようにランプ・ハウス１０１に取り付けられている。すなわち、端子１０５ａ、１０７ａの開口部は、Ｘ方向からの電極を受け入れる向きに配置されている。Ｘ方向は蛍光ランプ１０３の管軸方向に対して直角で、かつ、ランプ・ハウス１０１の底面に平行である。
【００２３】
蛍光ランプ１０３は、発熱により管軸方向に膨張するため端子１０５ａの電極１０３ｂに対する締め付け力、および端子１０７ａの電極１０３ｂに対する締め付け力は比較的弱くなるように設定されている。したがって、蛍光ランプ１０３をコネクタ１０５、１０７に取り付けても振動により脱落することがある。蛍光ランプ１０３は、長さに対して口径が小さいためある程度の可撓性がある。したがって、振動で発光部１０３ａがランプ・ハウス１０１の底面に接触するのを防止するためにそれぞれの発光部１０３ａを６個のランプ・サポート１０９でランプ・ハウス１０１の底面に固定している。ランプ・サポート１０９はそれぞれ把持部１０９ａを備えている。把持部１０９ａは、拡散板側に開口部を備えるようにプラスチックでバネ構造に成形されており、発光部１０３ａを挟んで締め付けることで発光部１０３ａをランプ・ハウス１０１に固定する。
【００２４】
把持部１０９ａに対する発光部１０３ａの挿入方向は図２（Ｄ）に示すＹ方向としている。Ｙ方向は、蛍光ランプ１０９の管軸方向に対して直角でかつＸ方向に対しても直角である。また、Ｙ方向は、ランプ・ハウス１０１の底面に対して垂直な方向でもある。把持部１０９ａで保持される発光部１０３ａの部分は、保持されない部分に比べて輝度が低下するので、輝度の低下ができるだけ少なくなるように把持部１０３ａの開口部は拡散板の方向を向くことが望ましい。
【００２５】
図２に示した支持構造では蛍光ランプ１０９に振動が加えられたときに、蛍光ランプ１０３はコネクタ１０５、１０７によりＸ方向と反対方向への移動以外は拘束され、ランプ・サポート１９によりＹ方向と反対方向への移動以外は拘束される。Ｘ方向とＹ方向の角度は９０度であるため、蛍光ランプ１０３は全体としては管軸に対して直角な方向への移動が抑制され、ランプ・ハウス１０１に振動が加えられても蛍光ランプ１０３がコネクタ１０５、１０７またはランプ・サポート１０９から外れにくくなる。なお、Ｘ方向とＹ方向の角度は９０度に限定するものではなく、たとえば、コネクタに対する電極の着脱の容易性を図るような場合に、端子の開口部の角度を水平方向よりも上向きにして、４５度〜９０度の範囲に設定することができる。
【００２６】
つぎに、蛍光ランプを支持する他の構造について図３を参照して説明する。図３（Ａ）は、拡散板５５と光学シート５３を取り除いた状態の平面図で、図３（Ｂ）はＡ−Ａ矢視の断面図で、図３（Ｃ）、（Ｄ）、（Ｅ）は、それぞれ図３（Ｂ）のＢ−Ｂ、Ｃ−Ｃ、Ｄ−Ｄ矢視の断面図である。蛍光ランプ１２３は、電極１２３ｂがコネクタ１２５に接続され、電極１２３ｃがコネクタ１２７に接続される。また、ランプ・サポート１０９がＹ方向から挿入された発光部１２３ａの中央部を把持部１０９ａに嵌め込んで固定している。コネクタ１２５、１２７は、それぞれバネ構造の端子１２５ａ、１２７ａを備えている。
【００２７】
コネクタ１２５には、電極１２３ｂをＸ方向から差し込むことができるように開口部が設けられている。コネクタ１２７は、電極１２３ｃを管軸方向であるＺ方向から差し込むことができるように開口部が設けられている。コネクタ１２５の端子１２５ａの締め付け力は蛍光ランプ１２３の熱膨張を抑制しないように比較的弱くなるように設定され、コネクタ１２７の端子１２７ａの締め付け力は蛍光ランプ１２３が振動で管軸方向に移動しないように比較的強く設定されている。図３に示した支持構造では、ランプ・ハウス１０１に振動が加えられたときに、コネクタ１２５とランプ・サポート１０９が管軸に対して直角方向への蛍光ランプ１２３の移動を抑制し、コネクタ１２７が管軸方向への移動を抑制することができる。したがって、図３に示した支持構造よりも一層振動に対して外れにくい構造になっている。
【００２８】
図４は、本実施の形態にかかる蛍光ランプの支持構造の他の例を示す。図４（Ａ）には、折り返し型の蛍光ランプ２０１の支持構造を示している。蛍光ランプ２０１は、２つの電極がＸ方向から差し込まれてコネクタ１０７に接続されている。また、折り返し部２０３は、ランプ・サポート２０５の把持部に発光部の管軸方向であるＺ方向から嵌め込まれてランプ・ハウス１０１に固定されている。折り返し型の蛍光ランプ２０１は、折り返し部２０３でも発光するが、そこからの光は輝度ムラを生ずるので、サイド・フレームで遮光される。折り返し部の管軸方向に対しては、Ｚ方向はまた管軸方向に直角な方向でもある。折り返し部に連絡する２つの発光部がそれぞれ中央部でランプ・サポート１０９にＹ方向から嵌め込まれてランプ・ハウス１０１に固定されている。Ｚ方向はランプ・ハウス１０１の底面に平行な方向で、Ｙ方向は発光部の管軸方向とランプ・ハウス１０１の底面に垂直な方向である。この支持構造では、ランプ・ハウス１０１に振動が加えられたときに、コネクタ１０７とランプ・サポート１０９、２０５が管軸に対して直角方向への蛍光ランプ１２３の移動を抑制することができる。
【００２９】
図４（Ｂ）には、直線型の蛍光ランプ１０３の他の支持構造を示している。蛍光ランプ１０３の電極１０３ｂ、１０３ｃは、図示しないリード線でランプ・ハウス１０１の裏側に設けたインバータの回路基板に接続されている。蛍光ランプ１０３は中央部の発光部がランプ・サポート１０９にＹ方向から嵌め込まれ、両方の電極１０３ｂ、１０３ｃの近辺の発光部がランプ・サポート２１１、２１３にＸ方向から嵌め込まれている。Ｘ方向は管軸に垂直でランプ・ハウスの底面に平行な方向で、Ｙ方向は管軸に垂直でランプ・ハウス１０１の底面に垂直な方向である。この支持構造では、ランプ・ハウス１０１に振動が加えられたときに、ランプ・サポート１０９、２０１、２０３が管軸に対して直角方向への蛍光ランプ１０３の移動を抑制することができる。以上、さまざまな、ランプ・サポートとコネクタによるさまざまな支持構造を説明したが、本発明は、１つのランプ・ハウスに複数の蛍光ランプを収納する場合に、それぞれの蛍光ランプに対して上記で説明した異なる支持構造を適用することを排除するものではない。
【００３０】
これまで本発明について図面に示した特定の実施の形態をもって説明してきたが、本発明は図面に示した実施の形態に限定されるものではなく、本発明の効果を奏する限り、これまで知られたいかなる構成であっても採用することができることはいうまでもないことである。
【符号の説明】
【００３１】
５９…バックライト
６１…液晶表示装置
１０１…ランプ・ハウス
１０３、１２３、２０１…蛍光ランプ
１０３ａ、１２３ａ…蛍光ランプの発光部
１０３ｂ、１０３ｃ、１２３ｂ、１２３ｃ…蛍光ランプの電極
１０５、１０７、１２５、１２７…コネクタ
１０５ａ、１０７ａ、１２５ａ、１２７ａ…コネクタの端子
１０９、２０５、２１１、２１３…ランプ・サポート
【図１】
2011065764.tif 000003
【図２】
2011065764.tif 000004
【図３】
2011065764.tif 000005
【図４】
2011065764.tif 000006
【図５】
2011065764.tif 000007